(57)【要約】【課題】分流特性を向上させながら冷媒音を抑制する分流器の接続管を提供する。【解決手段】複数の冷媒流路から構成された室内熱交換器（図示せず）の各流路と、冷媒を分流させる衝突型の分流器（図示せず）とを接続する分流器の接続管６ａ、６ｂ、６ｃにおいて、前記接続管６ａ、６ｂ、６ｃの上記室内熱交換器側の先端部７を細径に絞ったもので、冷媒の流速を弱め、冷媒を整流することを可能とし、接続管６ａ、６ｂ、６ｃから室内熱交換器において生じる冷媒音の発生の抑制が図れる。【選択図】図２
2010117037.tif 000002
【特許請求の範囲】
【請求項１】
複数の冷媒流路から構成された室内熱交換器の各冷媒流路と、冷媒を分流させる衝突型の分流器とを接続する分流器の接続管において、前記接続管の上記室内熱交換器側の先端部を細径に絞ったことを特徴とする分流器の接続管。
【請求項２】
接続管の室内熱交換器側の先端部に複数個の小穴をあけたことを特徴とする請求項１に記載の分流器の接続管。
【発明の詳細な説明】
【技術分野】
【０００１】
本発明は、空気調和機において使用される分流器の接続管の構造に関するものである。
【背景技術】
【０００２】
従来の空気調和機の分流器の接続管として、図６に示されるようなものがあった（例えば、特許文献１参照）。
【０００３】
図６は、上記特許文献１に記載された従来の空気調和機の分流器の接続管が搭載された空気調和機の要部斜視図である。
【０００４】
図６において、室内熱交換器２０は、３つの熱交換部２０ａ、２０ｂ、２０ｃを備え、その３つの流路に対応した熱交換部２０ａ、２０ｂ、２０ｃに冷媒を分流する絞り衝突型の分流器２１が、空気調和機の室内ユニット２２の本体２２ａの背面部側の位置に、冷媒の流通方向が垂直方向となるように配置され、熱交換部２０ａ、２０ｂ、２０ｃの冷媒流入口に、所定流路長以上の接続配管２３ａ、２３ｂ、２３ｃを介して接続されている。また、接続配管２３ａ、２３ｂ、２３ｃの少なくとも一部の周囲は、冷媒音制御部材２４で覆われている。
【０００５】
以上のように、分流器２１を垂直上向きに配置することにより圧損を避けて拡散し、熱交換器２０との接続配管２３ａ、２３ｂ、２３ｃを長くすると共に、一部を冷媒音制御部材２４で覆うことで、分流器２１通過後に生じる冷媒音を抑制している。
【特許文献１】特開平８−３１３１１６号公報（図６）
【発明の開示】
【発明が解決しようとする課題】
【０００６】
しかしながら、上記従来の分流器の接続管の構成では、分流器通過後に生じる冷媒音を制御するために接続配管２３ａ、２３ｂ、２３ｃを必要以上に長くしたり、冷媒音制御部材２４で周囲を覆わなくてはならないという課題を有していた。
【０００７】
本発明は、このような従来の課題を解決するものであり、分流特性を向上させながら冷媒音を抑制することが出来る分流器の接続管を提供することを目的とするものである。
【課題を解決するための手段】
【０００８】
前記従来の課題を解決するために、本発明の分流器の接続管は、複数の冷媒流路から構成された室内熱交換器の各冷媒流路と、冷媒を分流させる衝突型の分流器とを接続する分流器の接続管において、前記接続管の上記室内熱交換器側の先端部を細径に絞ったもので、冷媒の流速を弱め、冷媒を整流することを可能とし、接続管から室内熱交換器において生じる冷媒音の発生の抑制が図れる。
【発明を実施するための最良の形態】
【０００９】
第１の発明は、複数の冷媒流路から構成された室内熱交換器の各冷媒流路と、冷媒を分流させる衝突型の分流器とを接続する分流器の接続管において、前記接続管の上記室内熱交換器側の先端部を細径に絞ったもので、冷媒の流速を弱め、冷媒を整流することを可能とし、接続管から室内熱交換器において生じる冷媒音の発生の抑制が図れる。
【００１０】
第２の発明は、特に、第１の発明の接続管の室内熱交換器側の先端部に複数個の小穴をあけたもので、更に冷媒が整流され、接続管から室内熱交換器において生じる冷媒音の発
生の一層の抑制が図れ、空気調和機の静音化が図れる。
【００１１】
以下、本発明の実施の形態について、図面を参照しながら説明する。なお、この実施の形態によって本発明が限定されるものではない。
【００１２】
（実施の形態１）
図１は、本発明の第1の実施の形態における分流器の接続管を搭載した室内熱交換器の部分側面図、図２は、同分流器の接続管の部分側面図、図３は、同分流器の接続管の接続例を示す部分断面図である。
【００１３】
図１〜３において、本実施の形態における分流器の接続管を搭載した室内熱交換器１は、３つの熱交換部分２ａ、２ｂ、２ｃと、分流器部冷媒音制御部材３と、３つの流路入口４ａ、４ｂ、４ｃを具備し、流路入口４ａ、４ｂ、４ｃのそれぞれは、接続管である分流出口管６ａ、６ｂ、６ｃを通じて、本実施の形態における衝突型の分流器５と接続されている。
【００１４】
このとき上記室内熱交換器１と分流器５を接続している分流出口管６ａ、６ｂ、６ｃの室内熱交換器１との接続側の先端部７は、図２のように、細径に絞った形状に形成され、図３の示すように、熱交換器流路入口管８に挿入されている。
【００１５】
以上ように本実施の形態によれば、分流出口管６ａ、６ｂ、６ｃの室内熱交換器１との接続側の先端部７が細径に絞った形状に形成されているので、冷媒の流速を弱め、冷媒を整流することを可能とし、分流出口管６ａ、６ｂ、６ｃから室内熱交換器１において生じる冷媒音の発生の抑制が図れる。
【００１６】
（実施の形態２）
図４は、本発明の第２の実施の形態における分流器の接続管の部分側面図、図５は、同分流器の接続管の接続例を示す部分断面図である。なお、上記第１の実施の形態における分流器の接続管と同一部分については、同一符号を付してその説明を省略する。
【００１７】
本実施の形態は、図４、５に示すように、分流出口管６ａ、６ｂ、６ｃの室内熱交換器１側の先端部７に複数個の小穴９を設け、それを、図５に示すように、熱交換器流路入口管に挿入して接続するようにしたものである。
【００１８】
以上のように本実施の形態によれば、分流出口管６ａ、６ｂ、６ｃの室内熱交換器１側の先端部７に複数個の小穴９を設けているので、更に冷媒が整流され、分流出口管６ａ、６ｂ、６ｃから室内熱交換器１において生じる冷媒音の発生の一層の抑制が図れ、空気調和機の静音化が図れる。
【産業上の利用可能性】
【００１９】
以上のように、本発明にかかる空気調和機の分流器の接続管の構成によれば、室内熱交換器側の先端を細径にすることにより、冷媒の流速を弱め、冷媒を整流することを可能とし、接続管から熱交換器において生じる冷媒音の発生の抑制が図れるもので、各種冷房、冷凍機器に適用できる。  
【図面の簡単な説明】
【００２０】
【図１】本発明の第１の実施の形態における分流器の接続管を搭載した室内熱交換器の部分側面図
【図２】同分流器の接続管の部分側面図
【図３】同分流器の接続管の接続例を示す部分断面図
【図４】本発明の第２の実施の形態における分流器の接続管の部分側面図
【図５】同分流器の接続管の接続例を示す部分断面図
【図６】従来の空気調和機の分流器の接続管が搭載された空気調和機の要部斜視図
【符号の説明】
【００２１】
１  室内熱交換器
４ａ、４ｂ、４ｃ  流路入
５  分流器
６ａ、６ｂ、６ｃ  分流出口管（接続管）
７  先端部
９  小穴
【図１】
2010117037.tif 000003
【図２】
2010117037.tif 000004
【図３】
2010117037.tif 000005
【図４】
2010117037.tif 000006
【図５】
2010117037.tif 000007
【図６】
2010117037.tif 000008